(57)【要約】      （修正有）【課題】変換アダプタを省スペースに設置しつつ、メンテナンスの作業性を向上させる変換アダプタ固定具を提供する。【解決手段】コネクタの変換アダプタＡ及び変換アダプタに接続されるケーブルＣを固定する固定具であって、変換アダプタ及びケーブルを固定可能なプレート本体１０を備え、プレート本体は、変換アダプタを固定するアダプタ固定区画と、ケーブルを固定するケーブル固定区画と、を有し、プレート本体の面積は、変換アダプタの面積の２倍以下の大きさに設定されている。【選択図】図３
0003211206.tif 000002
【実用新案登録請求の範囲】
【請求項１】
コネクタの変換アダプタ及びこの変換アダプタに接続されるケーブルを固定する固定具であって、
前記変換アダプタ及び前記ケーブルを固定可能なプレート本体を備え、
前記プレート本体は、前記変換アダプタを固定するアダプタ固定区画と、
前記ケーブルを固定するケーブル固定区画と、を有し、
前記プレート本体の面積は、前記変換アダプタの面積の２倍以下の大きさに設定されていることを特徴とする、変換アダプタ固定具。
【請求項２】
前記アダプタ固定区画には、前記変換アダプタを固定するアダプタ固定部が設けられ、
前記ケーブル固定区画には、前記ケーブルを固定するケーブル固定部が設けられ、
前記ケーブル固定区画の一部には、ケーブル出入区画が形成されていることを特徴とする、請求項１に記載の変換アダプタ固定具。
【請求項３】
前記アダプタ固定部は、変換アダプタの縁部に係合する係合爪を有していることを特徴する、請求項２に記載の変換アダプタ固定具。
【請求項４】
前記アダプタ固定部は、雌ネジ部を有し、この雌ネジ部は前記プレート本体の表面側に突設されていることを特徴とする、請求項２又は請求項３に記載の変換アダプタ固定具。
【請求項５】
前記ケーブル固定部は、前記ケーブルを束ねるバンドと、このバンドを取付けるバンド挿通部と、を有していることを特徴とする、請求項２〜４の何れかに記載の変換アダプタ固定具。
【請求項６】
前記プレート本体を覆うカバー部材をさらに備え、
前記プレート本体の縁周には、前記カバー部材の内径に沿って嵌るガイド壁が設けられ、
前記プレート本体と前記カバー部材との間には、前記カバー部材を前記プレート本体に固定するカバー固定部が設けられていることを特徴とする、請求項１〜５の何れかに記載の変換アダプタ固定具。
【請求項７】
前記カバー固定部は、前記ガイド壁の外周面に設けられる凸部と、前記カバー部材の内周面に設けられる凹部と、を有していることを特徴とする、請求項６に記載の変換アダプタ固定具。
【請求項８】
前記プレート本体を設置可能な配電盤をさらに備えることを特徴とする、請求項１〜７の何れかに記載の変換アダプタ固定具。
【請求項９】
前記配電盤には、前記プレート本体が複数取り付けられていることを特徴とする、請求項８に記載の変換アダプタ固定具。
【請求項１０】
前記変換アダプタは、第１コネクタジャックと、第２コネクタジャックと、これらのコネクタジャックが配置される基板と、を有し、
前記第１コネクタジャックと前記第２コネクタジャックとは、同一平面上に配置されていることを特徴とする、請求項１〜９の何れかに記載の変換アダプタ固定具。
【考案の詳細な説明】
【技術分野】
【０００１】
本考案は、通信ケーブルの接続形態が異なる場合に、各通信ケーブルのコネクタを接続して変換を行う変換アダプタを固定する変換アダプタ固定具に関する。
【背景技術】
【０００２】
従来、オフィス等では、複数の外線と内線を共有可能なビジネスホンと呼ばれる電話システムが導入されている。一般的に、このビジネスホンは、複数の電話機と、これら電話機とを有線で接続する主装置と、を備え、この主装置が、各電話機を外線電話につないだり、各電話機間での内線電話の通信管理を行っている。
【０００３】
ところが、主装置と各電話機との間で、通信ケーブルの接続形態がそれぞれ異なる場合がある。すなわち、通常の電話機やファクシミリ等のアナログ端末では２芯ケーブルが採用されているが、多くの主装置で採用される通信ケーブルは８芯ケーブルである。このように接続形態が異なる場合には、各電話機と主装置とを接続するため、２芯ケーブルから８芯ケーブルへ変換する変換アダプタを介して配線するのが通常である。
【０００４】
なお、従来から、主装置おいては、ケーブル束に係るメンテナンスの作業性を向上するための構造が提案されている（例えば、特許文献１）。
この特許文献１には、主装置の筐体底面に結束バンドにより結束されたケーブル束を装置内の所定の範囲に保持し、このケーブル束を結束している結束バンドを保持すると共に、この結束バンドの動きを上下左右のいずれか１次元方向に誘導するレールを形成した結束バンド保持構造の技術が開示されている。
【先行技術文献】
【特許文献】
【０００５】
【特許文献１】登録実用新案第３１８００３０号
【考案の概要】
【考案が解決しようとする課題】
【０００６】
しかしながら、特許文献１に記載されている構造は、主装置の筐体内部における配線整理であるため、主装置の外部に設けられる変換アダプタでの配線整理は、主装置外にて別途行う必要がある。なお、主装置内に変換アダプタを設置することも考えられるが、主装置の筐体を大型化する必要があり、変換アダプタを利用しない場合にはそのスペースが無駄になってしまう。
【０００７】
そこで、本考案は、変換アダプタを省スペースに設置しつつ、メンテナンスの作業性を向上させる変換アダプタ固定具を提供することを課題とする。
【課題を解決するための手段】
【０００８】
上記課題を解決するため、本考案に係る変換アダプタ固定具は、コネクタの変換アダプタ及びこの変換アダプタに接続されるケーブルを固定する固定具であって、前記変換アダプタ及び前記ケーブルを固定可能なプレート本体を備え、前記プレート本体は、前記変換アダプタを固定するアダプタ固定区画と、前記ケーブルを固定するケーブル固定区画と、を有し、前記プレート本体の面積は、前記変換アダプタの面積の２倍以下の大きさに設定されていることを特徴とする。
【０００９】
本考案に係る変換アダプタ固定具によれば、プレート本体の面積が変換アダプタの面積の２倍以下の大きさに設定されていることで、変換アダプタを設置する箇所の省スペース化を図ることができる。また、この変換アダプタ固定具は、主装置の外部に配置するため、主装置を開けることなく、容易にメンテナンス作業を行うことができる。
【００１０】
本考案の好ましい形態では、前記アダプタ固定区画には、前記変換アダプタを固定するアダプタ固定部が設けられ、前記ケーブル固定区画には、前記ケーブルを固定するケーブル固定部が設けられ、前記ケーブル固定区画の一部には、ケーブル出入区画が形成されていることを特徴とする。
【００１１】
本考案の好ましい形態では、前記アダプタ固定部は、変換アダプタの縁部に係合する係合爪を有していることを特徴する。
このように、アダプタ固定部は係合爪であることにより、変換アダプタの縁部に係合するだけで、容易に固定することができる。
【００１２】
本考案の好ましい形態では、前記アダプタ固定部は、雌ネジ部を有し、この雌ネジ部は前記プレート本体の表面側に突設されていることを特徴とする。
このように、雌ネジ部がプレート本体の表面側に突出していることにより、雄ネジの侵入深さを確保することができ、プレート本体の背面側を平坦に形成することができる。これにより、変換アダプタ固定具を様々な場所に取り付けることができる。
【００１３】
本考案の好ましい形態では、前記ケーブル固定部は、前記ケーブルを束ねるバンドと、このバンドを取付けるバンド挿通部と、を有していることを特徴とする。
このように、バンド及びバンド挿通部を有することにより、容易にケーブルを束ねて固定することができる。
【００１４】
本考案の好ましい形態では、前記プレート本体を覆うカバー部材をさらに備え、前記プレート本体の縁周には、前記カバー部材の内径に沿って嵌るガイド壁が設けられ、前記プレート本体と前記カバー部材との間には、前記カバー部材を前記プレート本体に固定するカバー固定部が設けられていることを特徴とする。
このように、カバー部材を備えることにより、変換アダプタやケーブルが外側から視認できないようにして、外観をすっきりと見せることができる。
【００１５】
本考案の好ましい形態では、前記カバー固定部は、前記ガイド壁の外周面に設けられる凸部と、前記カバー部材の内周面に設けられる凹部と、を有していることを特徴とする。
このように、カバー固定部を凸部及び凹部により凹凸嵌合する構成とすることで、容易にカバー部材の着脱を行うことができる。
【００１６】
本考案の好ましい形態では、プレート本体を設置可能な配電盤をさらに備えることを特徴とする。
このように、プレート本体を配電盤に設置することにより、主装置等と一緒に収納することができる。
【００１７】
本考案の好ましい形態では、前記配電盤には、前記プレート本体が複数取り付けられていることを特徴とする。
このように、プレート本体が複数設けられていることにより、大量の回線を扱う場合であっても、メンテナンスを容易に行うことができる。
【００１８】
本考案の好ましい形態では、前記変換アダプタは、第１コネクタジャックと、第２コネクタジャックと、これらのコネクタジャックが配置される基板と、を有し、前記第１コネクタジャックと前記第２コネクタジャックとは、同一平面上に配置されていることを特徴とする。
【考案の効果】
【００１９】
本考案は、変換アダプタを省スペースに設置しつつ、メンテナンスの作業性を向上させる変換アダプタ固定具を提供することができる。
【図面の簡単な説明】
【００２０】
【図１】本考案の一実施形態に係る変換アダプタ固定具の斜視図である。
【図２】本考案の一実施形態に係る変換アダプタ固定具の分解斜視図である。
【図３】本考案の一実施形態に係る変換アダプタ固定具の使用状態を示す図である。
【図４】本考案の一実施形態に係る変換アダプタ固定具の使用状態を示す図である。
【図５】本考案の一実施形態に係る変換アダプタ固定具の使用状態を示す図である。
【考案を実施するための形態】
【００２１】
以下、本考案を図面に示した好ましい一実施形態について、図１〜図５を用いて詳細に説明する。本考案の技術的範囲は、添付図面に示した実施形態に限定されるものではなく、実用新案登録請求の範囲に記載された範囲内において、適宜変更が可能である。
【００２２】
図１は、本考案に係る変換アダプタ固定具Ｆの外観を示す斜視図であり、カバー部材２０を取り外し、プレート本体１０に変換アダプタＡを配置した状態を示している。図２は、変換アダプタＡを設置する様子を示す分解斜視図である。図３は、接続形態が異なる通信ケーブルの各コネクタを変換アダプタＡに接続した状態を示しており、本考案に係る変換アダプタ固定具Ｆの使用状態を示す図である。
【００２３】
本考案に係る変換アダプタ固定具Ｆは、コネクタの変換アダプタＡ及びこの変換アダプタＡに接続されるケーブルＣを固定する固定具であって、この変換アダプタＡ及びケーブルＣを固定するプレート本体１０と、このプレート本体１０を覆うカバー部材２０と、を備えている。
【００２４】
変換アダプタＡは、第１コネクタジャックＡ１と、第２コネクタジャックＡ２と、これらが配置される基板Ａ３と、を有している。図１ないし図３においては、「ＲＪ」規格のコネクタ（ＲＪ−１１、ＲＪ−１４、ＲＪ−２５、ＲＪ−４５、ＲＪ−４８、およびＲＪ−６１等）を接続可能な第１コネクタジャックＡ１と、クイックコネクタ（２芯や４芯等）を接続可能な第２コネクタジャックＡ２と、を例示している。この他にも、市販されている汎用のコネクタジャックを、それぞれに採用してもよい。
【００２５】
また、図１ないし図３に示したように、第１及び第２コネクタジャックＡ１，Ａ２は、基板Ａ３の同一表面上に設けられており、第１コネクタジャックＡ１がまとめられた区画と第２コネクタジャックＡ２がまとめられた区画とに分割されて配置されている。
さらに、基板Ａ３の厚みに制限はないが、プレート本体１０への取付を容易にすることや省スペース化の観点から、薄型の平板状に形成されていることが望ましい。そして、基板Ａ３には、雄ネジＮが挿通可能な貫通孔Ａ４を設けてもよい。
【００２６】
なお、市販の変換アダプタＡとしては「ＩＰ３ＷＷ−１２ＣＮＣＨＵ−Ａ１  ＲＪ−６１−クイックコネクタ変換アダプタ（ＮＥＣプラットフォームズ社製）」を例示することができる。この変換アダプタＡの大きさとしては、縦１６５ｍｍ程度、横７５ｍｍ程度、厚さ２ｍｍ程度、を例示できる。
【００２７】
プレート本体１０は、略平板状に形成され、変換アダプタＡを固定するアダプタ固定区画Ｓ１と、ケーブルＣを固定するケーブル固定区画Ｓ２と、を有している。このケーブル固定区画Ｓ２は、アダプタ固定区画Ｓ１よりも小面積に形成されているため、全体でみると、プレート本体１０の面積は、変換アダプタＡの面積（基板Ａ３の面積）の２倍以下の大きさに設定されている。
図２においては、ケーブル固定区画Ｓ２の大きさが、アダプタ固定区画Ｓ１の大きさの２分の１以下の大きさに設定されている様子が示されている。
【００２８】
なお、このプレート本体１０の大きさとしては、縦１８５ｍｍ程度、横１１４ｍｍ程度、厚さ３ｍｍ程度、を例示できる。
アダプタ固定区画Ｓ１の大きさとしては、縦１６５ｍｍ程度、横７５ｍｍ程度、を例示できる。
ケーブル固定区画Ｓ２の大きさとしては、縦１６５ｍｍ程度、横３５ｍｍ程度、を例示できる。
【００２９】
プレート本体１０のアダプタ固定区画Ｓ１には、変換アダプタＡを固定可能なアダプタ固定部１１が設けられている。このアダプタ固定部１１は、変換アダプタＡをプレート本体１０に取付可能な構成であればよく、図１ないし図３に示したような、係合爪１１ａや雌ネジ部１１ｄを例示することができる。また、このアダプタ固定部１１の代わりに、両面テープや接着剤等の慣用の固定手段を用いて、変換アダプタＡを固定することも当然に可能である。
【００３０】
係合爪１１ａは、変換アダプタＡの基板Ａ３の縁部に係合可能なよう略「コ」の字状に形成された爪部１１ｂと、基板Ａ３の裏面を支持する支持部１１ｃと、を有している。この支持部１１ｃは、雌ネジ部１１ｄの高さに対応した高さＨに設定されている。
図１ないし図３においては、基板Ａ３の一方側にのみ係合爪１１ａを形成した例を示したが、基板Ａ３の反対側や側面側に複数箇所設けてもよい。特に、プレート本体１０を湾曲可能な材料によって形成されている場合には、一対の係合爪１１ａを基板Ａ３の対向位置に配置することで、変換アダプタＡの着脱を行うことができる。すなわち、変換アダプタＡの着脱時には、プレート本体１０を反らせるように湾曲させることで、対極にある係合爪１１ａ同士を離間させて、変換アダプタＡの着脱を行えるよう構成してもよい。
【００３１】
雌ネジ部１１ｄは、基板Ａ３の貫通孔Ａ４に挿通した雄ネジＮの取付箇所であり、雌ネジ部１１ｄの位置と貫通孔Ａ４の位置はそれぞれ対応した位置に配置されている。また、この雌ネジ部１１ｄは、変換アダプタＡが取付けられる方向（プレート本体１０の表面側）に突設して設けられており、係合爪１１ａの支持部１１ｃと同様の高さＨに設定されている。このため、雄ネジＮの侵入深さを確保することができ、プレート本体１０の背面側を平坦に形成することができる。
なお、雌ネジ部１１ｄの代わりに、突設した雄ネジ部を形成して、雄ネジ部を貫通孔Ａ４に挿通し、ナット等によって固定する構成としてもよい。
【００３２】
一方、ケーブル固定区画Ｓ２には、ケーブルＣを固定可能なケーブル固定部１２が設けられている。このケーブル固定部１２は、ケーブルＣを固定可能な構成であればよく、図１ないし図３に示したような、バンド１２ａやこのバンド１２ａを取付けるバンド挿通部１２ｂを例示することができる。
【００３３】
バンド１２ａは、ケーブルＣを束ねられる状態のものであればよく、図１及び図３に示した結束バンド以外にも、帯状のもの（マジックテープ（登録商標）やゴムバンド等）や紐状のもの（ポリプロピレン紐や輪ゴム等）を採用することができる。
【００３４】
バンド挿通部１２ｂは、バンド１２ａを挿通可能な大きさに形成されており、プレート本体１０の表面側に向かってアーチが盛り上がるように突設されている。図１ないし図３においては、コの字型のアーチ状に形成されている例が示されている。
【００３５】
このケーブル固定部１２として、バンド１２ａ及びバンド挿通部１２ｂを用いたケーブルＣの固定について説明したが、これに限られず、慣用の固定手段を採用することができる。例えば、鎹状の別部材をプレート本体１０に取り付け、ケーブルＣを囲うように固定してもよい。
【００３６】
また、プレート本体１０の縁周には、カバー部材２０の内径に沿って嵌るガイド壁１３を設けてもよく、さらに、このガイド壁１３の外周面には、カバー部材２０の内周面に設けられた凹部２２に凹凸嵌合する凸部１４を形成してもよい。
なお、ガイド壁１３には、ケーブルＣを通すケーブル道１５を設けてもよく、図に示す様に一続きに壁を設けてもよいし、間欠的に間を設けて複数のガイド壁１３を設けてもよい。
このケーブル道１５は、ケーブル固定区画Ｓ２の一部に形成・配置されており、ケーブルＣをケーブル固定区画Ｓ２に導くケーブル出入区画である。
【００３７】
また、プレート本体１０は、配電盤３０や壁、主装置Ｍの背面等に取り付けるための取付機構を有していることが望ましい。例えば、図１ないし図３に示す様に、プレート本体１０に複数の貫通孔１６を設け、配電盤３０の取付部３１に固定可能なよう構成されていることが望ましい。この貫通孔１６に、ネジを挿通したり、フックをひっかけることで、配電盤３０に固定することができる。また、両面テープや接着剤等を用いて、取り付けることも当然に可能である。
【００３８】
また、プレート本体１０のアダプタ固定区画Ｓ１には、変換アダプタＡの裏面を支持する台座部１７をさらに備えていてもよい（図２参照）。この台座部１７は、支持部１１ｃや雌ネジ部１１ｄと同様に高さＨを有しており、変換アダプタＡに各コネクタを押し込んで設置する際に、変換アダプタＡの裏面側を支持して撓るように変形することを抑制することができる。図２においては、係合爪１１ａと雌ネジ部１１ｄの間に１つ台座部１７を設けた例を示したが、アダプタ固定区画Ｓ１であれば任意の位置に任意の数設けることが可能である。
【００３９】
カバー部材２０は、プレート本体１０の外形に対応した大きさに設定されており、カバー部材２０の内周面が、ガイド壁１３の外周面に接するように構成されている。そして、ケーブル道１５に対応する位置には、ケーブルＣが引き出される出入口２１が形成されている。
【００４０】
また、カバー部材２０の内周面には、ガイド壁１３に形成された凸部１４と凹凸嵌合する凹部２２が設けられており、カバー部材２０をプレート本体１０に固定するカバー固定部が設けられている。このカバー固定部は、凹凸嵌合に限られず、慣用の手段を用いることができる。
このカバー部材２０の大きさとしては、縦１８５ｍｍ程度、横１１４ｍｍ程度、高さ６０ｍｍ程度、を例示できる。
【００４１】
図４は、ビジネスホンの主装置Ｍの背面に本考案に係る変換アダプタ固定具Ｆを設置した様子を示している。
このように、本考案に係る変換アダプタ固定具Ｆによれば、プレート本体１０が変換アダプタＡの面積の２倍以下の大きさに設定されていることにより、変換アダプタＡとケーブルＣ以外の領域を省き、ケーブルＣの変換に使うスペースを最小限にして、省スペース化を図ることができる。その結果、図４に示すように、主装置Ｍの背面に取り付けるようにして使用することができ、スペースの有効活用を図ることができる。
また、主装置Ｍの外部に変換アダプタＡを固定するため、主装置Ｍを開けることなくメンテナンスを行うことができる。
【００４２】
また、本考案に係る変換アダプタ固定具Ｆによれば、雌ネジ部１１ｄが表面側に突設されていることにより、プレート本体１０の背面を平坦に保つことができ、変換アダプタ固定具Ｆの取り付け位置が制限されることがない。すなわち、雌ネジ部１１ｄが高さＨを有していることにより、雄ネジＮの侵入深さを確保することができる。そのため、プレート本体１０を薄く形成でき、かつ、プレート本体１０の背面側を平坦に形成することができる。これにより、主装置Ｍの背面や壁、配電盤３０等の平坦面に密着して固定することができ、両面テープや接着剤、ネジ止め等、様々な手段で固定することができる。
【００４３】
図５は、配電盤３０に変換アダプタ固定具Ｆを設置した様子を示している。図５（ａ）は、主装置Ｍと１つの変換アダプタ固定具Ｆを配電盤３０に配置した様子を示しており、図５（ｂ）は主装置Ｍと複数の変換アダプタ固定具Ｆを配電盤３０に配置した様子を示している。
【００４４】
配電盤３０は、プレート本体１０を取付可能な取付部３１と、この取付部３１を覆うドア部３２と、を有している。
この配電盤３０は、図５（ａ）に示すように、主装置Ｍ及びプレート本体１０（及びカバー部材２０）を収納可能な大きさに構成してもよいし、図５（ｂ）に示すように、複数のプレート本体１０（及びカバー部材２０）を収納可能な大きさに構成してもよい。
【００４５】
なお、このように配電盤３０に収納する場合には、カバー部材２０を取付ける必要はなく、プレート本体１０に変換アダプタＡを配置した状態で、ドア部３２を閉めればよい。もちろん、カバー部材２０を取付けた状態で配電盤３０に収納してもよい。
【００４６】
また、大量の回線を取り扱う場合には、コネクタ及びケーブルＣを大量に変換する必要があるため、複数のプレート本体１０を用いて対応する（図５（ｂ）参照）。この時、各プレート本体１０に領域を割り当てることができるため、メンテナンス時の作業性を向上させることができる。例えば、プレート本体１０毎に１階、２階、３階と領域を割り当てておくことで、特定の階で問題が起きた際に、メンテナンスが必要な箇所を容易に発見・
対応することができる。
【符号の説明】
【００４７】
Ｆ  変換アダプタ固定具
１０  プレート本体
１１  アダプタ固定部
１１ａ  係合爪
１１ｂ  爪部
１１ｃ  支持部
１１ｄ  雌ネジ部
１２  ケーブル固定部
１２ａ  バンド
１２ｂ  バンド挿通部
１３  ガイド壁
１４  凸部
１５  ケーブル道
１６  貫通孔
１７  台座部
２０  カバー部材
２１  出入口
２２  凹部
３０  配電盤
３１  取付部
３２  ドア部
Ａ    変換アダプタ
Ａ１  第１コネクタジャック
Ａ２  第２コネクタジャック
Ａ３  基板
Ａ４  貫通孔
Ｃ    ケーブル
Ｓ１  アダプタ固定区画
Ｓ２  ケーブル固定区画
Ｎ  雄ネジ
【図１】
0003211206.tif 000003
【図２】
0003211206.tif 000004
【図３】
0003211206.tif 000005
【図４】
0003211206.tif 000006
【図５】
0003211206.tif 000007